(57)【要約】【課題】旧盤と新盤との取替作業に要する労力を可及的に低減することができる制御盤およびその取替方法を提供する。【解決手段】  布設するケーブルを収納するよう上方に開口する開口部を有して床に形成したケーブルピットの前記開口部に相対向する開口部を底部に有する制御盤２０であって、最下部の前面に形成したケーブル布設用穴２５と、通常時にはケーブル布設用穴２５を閉塞している着脱可能な閉塞部材である抽斗２４とを備えた筐体２３を有する。【選択図】  図１
2014147143.tif 000002
【特許請求の範囲】
【請求項１】
布設するケーブルを収納するよう上方に開口する開口部を有して床に形成したケーブルピットの前記開口部に相対向する開口部を底部に有する制御盤であって、
最下部の前面に形成したケーブル布設用穴と、通常時にはケーブル布設用穴を閉塞している着脱可能な閉塞部材とを備えた筐体を有することを特徴とする制御盤。
【請求項２】
請求項１に記載する制御盤において、
前記閉塞部材は、前記ケーブル布設用穴に対し前記筐体の前面側から裏面側に向かう方向に挿入するとともに、前記裏面側から前記前面側に引き出すことができる抽斗で構成したことを特徴とする制御盤。
【請求項３】
請求項１または請求項２に記載する制御盤において、
前記ケーブル布設用穴の周囲の筐体の内周面を補強部材で補強したことを特徴とする制御盤。
【請求項４】
請求項１〜請求項３の何れか一つに記載する制御盤において、
前記筐体を固定する場合の構造体であり、前記筐体の裏面側の内周面に沿い水平に伸びる着脱可能なバーを有することを特徴とする制御盤。
【請求項５】
請求項１〜請求項３に記載する何れか一つの制御盤を取替える取替方法であって、
取替え対象として撤去される制御盤である旧盤の前面に相対向させて新たに設置される制御盤である新盤を仮置きするとともに、前記旧盤の閉塞部材を取外して前記旧盤の前面にケーブル布設用穴を開口させる工程と、
前記新盤から引出した新ケーブルを、前記ケーブル布設穴を介して前記旧盤の底部に開口するケーブルピットに布設して前記新ケーブルに切替える工程と、
前記旧盤の端子台に接続されている旧ケーブルを前記端子台から取外して撤去する工程と、
仮置きした前記新盤に向けて前記旧盤を移動させ、さらに前記新盤の手前で、前記移動の方向に交差する方向に移動させることにより、撤去される前の前記旧盤の設置位置と仮置きした前記新盤とを結ぶ直線上から前記旧盤を撤去する工程と、
仮置きした前記新盤を、前記直線上に沿い、撤去される前の前記旧盤の設置位置まで直線的に移動させて前記設置位置に新盤を設置させる工程とを有することを特徴とする制御盤の取替方法。
【請求項６】
請求項４に記載する制御盤を取替える取替方法であって、
取替え対象として撤去される制御盤である旧盤の前面に相対向させて新たに設置される制御盤である新盤を仮置きするとともに、前記旧盤の閉塞部材を取外して前記旧盤の前面にケーブル布設用穴を開口させる工程と、
前記制御盤の筐体を固定する場合の構造体であり、前記筐体の裏面側の内周面に沿い水平に伸びる着脱可能なバーを取外す工程と、
前記新盤から引出した新ケーブルを、前記ケーブル布設用穴を介して前記旧盤の底部に開口するケーブルピットに布設して前記新ケーブルに切替える工程と、
前記旧盤の端子台に接続されている旧ケーブルを前記端子台から取外して撤去する工程と、
仮置きした前記新盤に向けて前記旧盤を移動させ、さらに前記新盤の手前で、前記移動の方向に交差する方向に移動させることにより、撤去される前の前記旧盤の設置位置と仮置きした前記新盤とを結ぶ直線上から前記旧盤を撤去する工程と、
仮置きした前記新盤を、前記直線上に沿い、撤去される前の前記旧盤の設置位置まで直線的に移動させて前記設置位置に新盤を設置させる工程とを有することを特徴とする制御盤の取替方法。
【発明の詳細な説明】
【技術分野】
【０００１】
本発明は制御盤およびその取替方法に関し、特に制御ケーブルの使用本数が多く停電切替ステップが多い制御盤である遠方監視制御盤（ＴＣ盤）等を旧盤から新盤に取替える際に適用して有用なものである。
【背景技術】
【０００２】
電気所の情報は、遠隔監視制御装置（ＴＣ）から制御中継所の情報集配信装置（ＤＸ）を介して遠隔地（制御所や営業所など）の監視制御装置へ伝送している。遠隔監視制御装置の各種の機器類は、遠方監視制御盤（ＴＣ盤）に収納されている。かかるＴＣ盤を含む制御盤の取替時には、新しい制御盤を置くスペースがない場合には、旧制御盤を撤去した後に、新しい制御盤を据え付けているが、ケーブル敷設、接続および諸試験を実施すると長期間に亘り制御盤を使用することができない。特に、ＴＣ盤等のように、制御ケーブルの使用本数が多く、停電切替ステップが多い制御盤に関しては、長期間の直接運転や停電が必要になり、系統運用に大きな支障を及ぼす。
【０００３】
かかる問題を解消するため、撤去する旧制御盤の前方に取替設置する新制御盤を仮置きし、旧制御盤を嵩上げして、その盤下から新ケーブルを布設して取替えを行っている。
【０００４】
かかる制御盤の取替方法を図１２〜図１８に基づき説明する。なお、ここでは、取替えの対象として撤去されるＴＣ盤を含む旧制御盤を旧盤と呼称し、取替えの対象として新たに設置されるＴＣ盤を含む新制御盤を新盤と呼称して説明を行なう。
【０００５】
図１２〜図１８は従来技術に係る嵩上げ方式による制御盤の取替方法を概念に示す説明図で、（ａ）が平面的に見た状態、（ｂ）が側面から見た状態をそれぞれ示している。これらの図に基づき各工程を時系列的に説明する。なお、各図において同一部分には同一番号を付し、重複する説明は省略する。
【０００６】
１）新盤の仮置き工程
図１２に示すように、制御盤が設置される建物４（太い点線で囲んだ領域）の床面５に、取替撤去の対象である旧盤１が、それ以外の既設の制御盤である他盤３とともに配設してある。当該工程では、旧盤１と取替えて設置される新盤２を、旧盤１の表面側の前面に仮置きする。ここで、旧盤１，他盤３および新盤２はチャンネルベース６，７上にそれぞれ載置されている。また、旧盤１と他盤３との相互間は旧ケーブル８で接続されている。
【０００７】
２）旧盤の嵩上げ工程
図１３に示すように、旧盤１を高さ方向に嵩上げした状態で、床面５にスペーサとなる添木１１を配設し、添木１１とチャンネルベース６に跨って両者の上面にＨアングル１０を載置するとともに、Ｈアングル１０上に旧盤１を載置する。かくして旧盤１の高さ位置がＨアングル１０の高さ分、嵩上げされる。嵩上げした後、旧盤１の上面と新盤２の上面との間に固定金具１３を渡し、固定金具１３の両端部を旧盤１の上面と新盤２の上面とに固着する。かくして、旧盤１は固定金具を介して新盤２に固定され、新盤２の仮置き期間中（通常２〜３週間）の地震等の揺れに備えている。
【０００８】
３）旧盤下への新ケーブルの布設工程
図１４に示すように、旧ケーブル８に代え、新盤２から繰出される新ケーブル９をＨアングル１０およびチャンネルベース６の内側を通して屋外機器１２に接続する。
【０００９】
ここで、図１４（ｃ）、図１４（ｄ）は、特にＨアングル１０と新ケーブル９との位置関係を示している。図１４（ｃ）が側面から見た状態、図１４（ｄ）が平面で見た状態をそれぞれ示している。両図に示すように、Ｈアングル１０は、旧盤１を嵩上げするためのスペーサとして機能すると同時に、新ケーブル９の保護機能も有する。
【００１０】
４）旧ケーブルの撤去工程
図１５に示すように、新ケーブル９に切替えた後、旧ケーブル８を撤去する。
【００１１】
５）固定金具および旧盤の撤去工程
図１６に示すように、固定金具１３による固定を解除し、Ｈアングル１０上から旧盤１を撤去する。
【００１２】
６）新盤の移動工程
図１７に示すように、Ｈアングル１０を新盤２側に移動し、その新盤２側の端部に別の添木１４を配設し、添木１１，１４間にＨアングル１０を設置する。かかる状態で新盤２を一旦持ち上げてＨアングル１０に載置し、Ｈアングル１０をレールとして撤去した旧盤１の配設位置へ向けて移動させ、Ｈアングル１０の旧盤１側の端部でＨアングル１０からチャンネルベース６に降ろす（かかる一連の新盤２の移動方向を、図１７（ｂ）中に矢印で示す。）かくして、撤去した旧盤１の配設位置へ取替える新盤２を配設する。
【００１３】
７）完了工程
図１８に示すように、チャンネルベース６，Ｈアングル１０，添木１１，１４を撤去して一連の取替作業を完了する。
【００１４】
上述の如く、従来技術の取替方法では、旧盤１の嵩上げに伴い、固定金具１３による新盤２への旧盤１の固定、またその解除等、多くの煩雑な作業が必要となる。この結果、多大な労力、時間を要し、さらに合理的な取替方法の提案が待望されている。
【００１５】
同様の目的を達成する公知文献としては、特許文献１が存在するが、充分ではない。
【先行技術文献】
【特許文献】
【００１６】
【特許文献１】特開２００７−３３０００１号公報
【発明の概要】
【発明が解決しようとする課題】
【００１７】
本発明は、上記従来技術に鑑み、旧盤と新盤との取替作業に要する労力を可及的に低減することができる制御盤およびその取替方法を提供することを目的とする。
【課題を解決するための手段】
【００１８】
本発明の第１の態様は、
布設するケーブルを収納するよう上方に開口する開口部を有して床に形成したケーブルピットの前記開口部に相対向する開口部を底部に有する制御盤であって、
最下部の前面に形成したケーブル布設用穴と、通常時にはケーブル布設用穴を閉塞している着脱可能な閉塞部材とを備えた筐体を有することを特徴とする制御盤にある。
【００１９】
本態様によれば、ケーブル布設用穴を利用して新ケーブルを布設することができるので、撤去する旧盤の嵩上げは必要ない。
【００２０】
本発明の第２の態様は、
第１の態様に記載する制御盤において、
前記閉塞部材は、前記ケーブル布設用穴に対し前記筐体の前面側から裏面側に向かう方向に挿入するとともに、前記裏面側から前記前面側に引き出すことができる抽斗で構成したことを特徴とする制御盤にある。
【００２１】
本態様によれば、通常時（ケーブル布設用穴の閉塞時）には、抽斗を制御盤の付属物を収納する収納部として利用することができる。
【００２２】
本発明の第３の態様は、
第１または第２の態様に記載する制御盤において、
前記ケーブル布設用穴の周囲の筐体の内周面を補強部材で補強したことを特徴とする制御盤にある。
【００２３】
本態様によれば、ケーブル布設用穴を設けることにより低下する筐体の機械的強度を補強することができる。
【００２４】
本発明の第４の態様は、
第１〜第３の態様の何れか一つに記載する制御盤において、
前記筐体を固定する場合の構造体であり、前記筐体の裏面側の内周面に沿い水平に伸びる着脱可能なバーを有することを特徴とする制御盤にある。
【００２５】
本態様によれば、新ケーブルを挿入する方向の障害物を除去することができ、その分円滑な新ケーブルの布設を行うことができる。
【００２６】
本発明の第５の態様は、
第１〜第３の態様に記載する何れか一つの制御盤を取替える取替方法であって、
取替え対象として撤去される制御盤である旧盤の前面に相対向させて新たに設置される制御盤である新盤を仮置きするとともに、前記旧盤の閉塞部材を取外して前記旧盤の前面にケーブル布設用穴を開口させる工程と、
前記新盤から引出した新ケーブルを、前記ケーブル布設穴を介して前記旧盤の底部に開口するケーブルピットに布設して前記新ケーブルに切替える工程と、
前記旧盤の端子台に接続されている旧ケーブルを前記端子台から取外して撤去する工程と、
仮置きした前記新盤に向けて前記旧盤を移動させ、さらに前記新盤の手前で、前記移動の方向に交差する方向に移動させることにより、撤去される前の前記旧盤の設置位置と仮置きした前記新盤とを結ぶ直線上から前記旧盤を撤去する工程と、
仮置きした前記新盤を、前記直線上に沿い、撤去される前の前記旧盤の設置位置まで直線的に移動させて前記設置位置に新盤を設置させる工程とを有することを特徴とする制御盤の取替方法にある。
【００２７】
本態様によれば、多大な時間、労力を有していた撤去する旧盤の嵩上げ工程を省略することができるので、その分短時間で合理的なと取替え作業が可能になる。
【００２８】
本発明の第６の態様は、
第４の態様に記載する制御盤を取替える取替方法であって、
取替え対象として撤去される制御盤である旧盤の前面に相対向させて新たに設置される制御盤である新盤を仮置きするとともに、前記旧盤の閉塞部材を取外して前記旧盤の前面にケーブル布設用穴を開口させる工程と、
前記制御盤の筐体を固定する場合の構造体であり、前記筐体の裏面側の内周面に沿い水平に伸びる着脱可能なバーを取外す工程と、
前記新盤から引出した新ケーブルを、前記ケーブル布設用穴を介して前記旧盤の底部に開口するケーブルピットに布設して前記新ケーブルに切替える工程と、
前記旧盤の端子台に接続されている旧ケーブルを前記端子台から取外して撤去する工程と、
仮置きした前記新盤に向けて前記旧盤を移動させ、さらに前記新盤の手前で、前記移動の方向に交差する方向に移動させることにより、撤去される前の前記旧盤の設置位置と仮置きした前記新盤とを結ぶ直線上から前記旧盤を撤去する工程と、
仮置きした前記新盤を、前記直線上に沿い、撤去される前の前記旧盤の設置位置まで直線的に移動させて前記設置位置に新盤を設置させる工程とを有することを特徴とする制御盤の取替方法にある。
【００２９】
本態様によれば、バーを外すことで新ケーブルを布設する際の新ケーブルの挿入方向の障害物を除去することができ、その分円滑な新ケーブルの布設を行うことができる。
【発明の効果】
【００３０】
本発明によれば、ケーブル布設用穴を利用して新ケーブルを布設できるため、旧盤の嵩上げ不要となり、嵩上げに伴う面倒な作業を排除でき、作業の合理化および低コスト化を同時に達成し得る。例えば、嵩上げが不要であるので、旧盤の固定金具が必要なくなるばかりでなく、新ケーブルを盤下に布設できるため布設ルートが増える。
【００３１】
また、閉塞部材を抽斗で形成した場合には、盤専用付属品等を納めることができるばかりでなく、抽斗を外して、盤下の手前側のボルトの締付け確認等も可能になる。さらに、ケーブル布設用穴の周囲に補強材を設けることに盤強度を従来と同程度のものとすることができる。また、バーを取り外すことで、新ケーブルの布設方向に存在する障害物の一つを良好に撤去することができ、この点で間取替え作業の効率化を実現し得る。
【図面の簡単な説明】
【００３２】
【図１】本発明の実施の形態に係る制御盤の、通常時の状態を概念的に示す説明図で、（ａ）は正面から見た状態、（ｂ）は側面から見た状態、（ｃ）は裏面から見た状態、（ｄ）は（ｂ）のＡ−Ａ′線から見た状態をそれぞれ示している。
【図２】本発明の実施の形態に係る制御盤の、抽斗を取外した状態を概念的に示す説明図で、（ａ）は正面から見た状態、（ｂ）は側面から見た状態、（ｃ）は裏面から見た状態、（ｄ）は（ｂ）のＡ−Ａ′線から見た状態をそれぞれ示している。
【図３】本発明の実施の形態に係る制御盤の、抽斗を取外した後の新ケーブル挿入時の状態を概念的に示す説明図で、（ａ）は正面から見た状態、（ｂ）は側面から見た状態、（ｃ）は裏面から見た状態、（ｄ）は（ｂ）のＡ−Ａ′線から見た状態をそれぞれ示している。
【図４】本発明の実施の形態に係る制御盤の、旧ケーブル撤去後、筐体の裏面のカバーを外した後の新ケーブル挿入時の状態を概念的に示す説明図で、（ａ）は正面から見た状態、（ｂ）は側面から見た状態、（ｃ）は裏面から見た状態、（ｄ）は（ｂ）のＡ−Ａ′線から見た状態をそれぞれ示している。
【図５】本発明の実施の形態に係る制御盤の取替方法の第１の工程を概念に示す説明図で、（ａ）が平面的に見た状態、（ｂ）が側面から見た状態をそれぞれ示している。
【図６】本発明の実施の形態に係る制御盤の取替方法の第２の工程を概念に示す説明図で、（ａ）が平面的に見た状態、（ｂ）が側面から見た状態、（ｃ）が旧盤を正面から見た状態をそれぞれ示している。
【図７】本発明の実施の形態に係る制御盤の取替方法の第３の工程を概念に示す説明図で、（ａ）が平面的に見た状態、（ｂ）が側面から見た状態をそれぞれ示している。
【図８】本発明の実施の形態に係る制御盤の取替方法の第４の工程を概念に示す説明図で、（ａ）が平面的に見た状態、（ｂ）が側面から見た状態をそれぞれ示している。
【図９】本発明の実施の形態に係る制御盤の取替方法の第５の工程を概念に示す説明図で、（ａ）が平面的に見た状態、（ｂ）が側面から見た状態をそれぞれ示している。
【図１０】本発明の実施の形態に係る制御盤の取替方法の第６の工程を概念に示す説明図で、（ａ）が平面的に見た状態、（ｂ）が側面から見た状態をそれぞれ示している。
【図１１】本発明の実施の形態に係る制御盤の取替方法の第７の工程を概念に示す説明図で、（ａ）が平面的に見た状態、（ｂ）が側面から見た状態をそれぞれ示している。
【図１２】従来技術に係る嵩上げ方式による制御盤の取替方法の第１の工程を概念に示す説明図で、（ａ）が平面的に見た状態、（ｂ）が側面から見た状態をそれぞれ示している。
【図１３】従来技術に係る嵩上げ方式による制御盤の取替方法の第２の工程を概念に示す説明図で、（ａ）が平面的に見た状態、（ｂ）が側面から見た状態をそれぞれ示している。
【図１４】従来技術に係る嵩上げ方式による制御盤の取替方法の第３の工程を概念に示す説明図で、（ａ）が平面的に見た状態、（ｂ）が側面から見た状態、（ｃ）がＨアングルと新ケーブルの関係を側面から見た状態、（ｄ）がＨアングルと新ケーブルの関係を平面的に見た状態をそれぞれ示している。
【図１５】従来技術に係る嵩上げ方式による制御盤の取替方法の第４の工程を概念に示す説明図で、（ａ）が平面的に見た状態、（ｂ）が側面から見た状態をそれぞれ示している。
【図１６】従来技術に係る嵩上げ方式による制御盤の取替方法の第５の工程を概念に示す説明図で、（ａ）が平面的に見た状態、（ｂ）が側面から見た状態をそれぞれ示している。
【図１７】従来技術に係る嵩上げ方式による制御盤の取替方法の第６の工程を概念に示す説明図で、（ａ）が平面的に見た状態、（ｂ）が側面から見た状態をそれぞれ示している。
【図１８】従来技術に係る嵩上げ方式による制御盤の取替方法の第７の工程を概念に示す説明図で、（ａ）が平面的に見た状態、（ｂ）が側面から見た状態をそれぞれ示している。
【発明を実施するための形態】
【００３３】
以下、本発明の実施の形態を図面に基づき詳細に説明する。
【００３４】
図１は本発明の実施の形態に係る制御盤の、通常時の状態を概念的に示す説明図、図２は前記制御盤の、抽斗を取外した状態を概念的に示す説明図、図３は前記制御盤の、抽斗を取外した後の新ケーブル挿入時の状態を概念的に示す説明図である。また、各図の（ａ）は正面から見た状態、（ｂ）は側面から見た状態、（ｃ）は裏面から見た状態、（ｄ）は（ｂ）のＡ−Ａ′線から見た状態をそれぞれ示している。なお、図１〜図４中、同一部分には同一番号を付し、重複する説明は省略する。
【００３５】
図１〜図４に示す本形態に係る制御盤２０は、布設するケーブルを収納するよう上方に開口する開口部を有して床に形成したケーブルピットの前記開口部に相対向する開口部を底部に有している。そして、筐体２３の最下部の前面には、ケーブル布設用穴２５を設けてあり、通常時（図１に示す状態）には、ケーブル布設用穴２５を閉塞する着脱可能な閉塞部材としての抽斗２４がケーブル布設用穴２５に挿入されている。
【００３６】
ここで、抽斗２４は筐体２３の側面の内周面に配設されて前後方向に直線的に水平に伸びるレール２６に沿って出し入れ可能に構成されている。抽斗２４は、筐体２３に挿入されている通常時には、当該制御盤２０の付属品等の収納部として利用することができる。一方、抽斗２４を取り外した場合には、ケーブル布設用穴２５から挿入した新ケーブル９をケーブルピット（図示せず）に布設し得るような構造となっている。
【００３７】
筐体２３の内部において抽斗２４の上方には抽斗２４の開口部分を覆うように防護板２７が設けられている。防護板２７は抽斗２４の出し入れに伴う新ケーブル９の損傷を未然に防止するためのものである。また、旧ケーブル８はそれぞれの一端が端子台３５に接続されて垂直下方に垂下され、ケーブルピットに至るように接続してある。
【００３８】
筐体２３において、ケーブル布設用穴２５の周囲の筐体２３の内周面は、補強部材３０Ａおよび補強部材３０Ｂで補強してある。筐体２３にケーブル布設用穴２５を形成したことに伴い、抽斗２４を取り外した場合のケーブル布設用穴２５の周囲の機械的な強度を確保するためである。ここで、補強部材３０Ａはケーブル布設用穴２５の上縁部に沿うように筐体２３の幅方向に配設してあり、補強部材３０Ｂはケーブル布設用穴２５の左右の両端部分に配設してある。これによりケーブル布設用穴２５の上方と左右両側の機械的な強度を向上させている。
【００３９】
フレーム２８は筐体２３の下部において内周面に沿うように配設されて筐体２３の機械的強度を向上させている。これは、抽斗２４が挿入されるケーブル布設用穴２５の部分を除く枠体として構成されており、左右の側面枠体２８Ｂ，２８Ｃと、側面枠体２８Ｂ，２８Ｃを連結するバー２８Ａからなり、通常は、ネジ３１，３２，３３でチャンネルベース６に固定してある。一方、図３および図４に示すように、新ケーブル９を布設する際には、ネジ３１を緩めてバー２８Ａを取り外すようになっている。このことにより、新ケーブル９の挿通方向で障害物を除去して、新ケーブル９の布設をより合理的に行なうことができる。後に説明するが、新ケーブル９を布設した状態で制御盤２０を前方（制御盤の裏面から前面に向かう方向）に移動することにより撤去する際に有用なものとなる。
【００４０】
かかる構成の制御盤２０を撤去する際には、図１に示す状態から抽斗２４を取り外して、図２に示すようにケーブル布設用穴２５を開口する。その後、図３に示すように、ケーブル布設用穴２５を介して新ケーブル９を筐体２３内に挿入し、下方のケーブルピットに布設する。このとき、バー２８Ａは取り外しておく。
【００４１】
続いて筐体２３の裏面の下部に着脱可能に取付けてあるカバー２３Ａを取り外して旧ケーブル８を端子台３５から取り外す。かかる制御盤２０は、新ケーブル９を布設したままで、前方（図の右方向）に押すことにより移動撤去することができる。
【００４２】
なお、上記実施の形態では、ケーブル布設用穴２５の閉塞部材を抽斗２４で構成したが、これに限るものではない。ケーブル布設用穴２５を塞ぐ機能を有すればよいので、単なる板状部材であっても構わない。ただ、抽斗２４とした場合には収納容器としての機能も兼備させることができる。
【００４３】
図５〜図１１は本形態に係る制御盤の取替方法を概念に示す説明図で、（ａ）が平面的に見た状態、（ｂ）が側面から見た状態をそれぞれ示している。これらの図に基づき各工程を時系列的に説明する。なお、各図において、従来技術を示す図１２〜図１８および相互に同一部分には同一番号を付し、重複する説明は省略する。
【００４４】
１）新盤の仮置き工程
図５に示すように、制御盤が設置される建物４（太い点線で囲んだ領域）の床面５に、取替撤去の対象である旧盤２１が、それ以外の既設の制御盤である他盤３とともに配設してある。当該工程では、旧盤２１と取替えて設置される新盤２２を、旧盤２１の表面側の前面に仮置きする。ここで、旧盤２１，他盤３および新盤２２はチャンネルベース６，７上にそれぞれ載置されている。この状態では旧盤２１には抽斗２４が取付けられたままである。また、旧盤２１と他盤３との相互間は旧ケーブル８で接続されている。なお、旧盤２１および新盤２２の構成自体は、図１〜図４に基づき説明した制御盤２０と同様である。すなわち、本形態における制御盤２０は、旧盤２１および新盤２２の両方を含む概念である（以下、同じ）。
【００４５】
２）新ケーブル布設の準備工程
図６に示すように、図５に示す旧盤２１の抽斗２４を取り外すことにより、本工程における旧盤２１を正面から見た状態を示す（ｃ）に明示するように、仮置きされた新盤２２の方向に向かってケーブル布設用穴２５が開口される。この時点でバー２８Ａ（図１〜図４参照）を外しておいても良い。新ケーブル９をケーブル布設用穴２５に挿入する時点以前にバー２８Ａが撤去されていれば、新ケーブル９の敷設作業の障害にはならないからである。
【００４６】
３）旧盤下への新ケーブルの布設工程
図７に示すように、旧盤２１の前面の位置から仮置きした新盤２２の手前の位置までの長さを有するＨアングル３０を配設するとともに、旧ケーブル８に代え、新盤２２から繰出される新ケーブル９をＨアングル３０の内側およびチャンネルベース６の内側を通して屋外機器１２に接続する。ここで、Ｈアングル３０は新ケーブル９の保護とともに、旧盤２１および新盤２２の移動の際のレールとして機能させる。
【００４７】
４）旧ケーブルの撤去工程
図８に示すように、新ケーブル９に切替えた後、旧ケーブル８を撤去する。
【００４８】
５）旧盤の撤去工程
図９に示すように、Ｈアングル３０をレールとして機能させ、仮置きした新盤に向けて旧盤２１を直線移動させる。その後、新盤２２の手前の位置で旧盤２１と新盤２２とを結ぶ直線方向に直交する横方向に移動させることにより撤去する。
【００４９】
６）旧盤の撤去工程
図１０に示すように、Ｈアングル３０をレールとして機能させ、旧盤２１が設置されていた場所に向かって仮置き位置の新盤２２を直線移動させ（図１０（ｂ）中に矢印で示す方向）、撤去した旧盤２１の代わりにチャンネルベース６の所定位置に新盤２２を配設する。
【００５０】
７）完了工程
図１１に示すように、図１０に示す、チャンネルベース７，Ｈアングル３０を撤去して一連の取替作業を完了する。
【産業上の利用可能性】
【００５１】
本発明は各種の電気機器類を備え、遠隔からの制御信号により制御される制御盤を使用する産業分野で有効に利用することができる。
【符号の説明】
【００５２】
８                      旧ケーブル
９                      新ケーブル
２０                      制御盤
２１                      旧盤
２２                      新盤
２３                      筐体
２４                      抽斗
２５                      ケーブル布設用穴
２８                      フレーム
２８Ａ                    バー
２８Ｂ，２８Ｃ            側面枠体
３０Ａ，３０Ｂ            補強部材
【図１】
2014147143.tif 000003
【図２】
2014147143.tif 000004
【図３】
2014147143.tif 000005
【図４】
2014147143.tif 000006
【図５】
2014147143.tif 000007
【図６】
2014147143.tif 000008
【図７】
2014147143.tif 000009
【図８】
2014147143.tif 000010
【図９】
2014147143.tif 000011
【図１０】
2014147143.tif 000012
【図１１】
2014147143.tif 000013
【図１２】
2014147143.tif 000014
【図１３】
2014147143.tif 000015
【図１４】
2014147143.tif 000016
【図１５】
2014147143.tif 000017
【図１６】
2014147143.tif 000018
【図１７】
2014147143.tif 000019
【図１８】
2014147143.tif 000020